(57)【特許請求の範囲】
【請求項１】
カバーの取付け穴に遊嵌されたファスナの端部を取付け対象に設けられている固定穴に挿入し回転させて固定することにより、カバーを取付け対象に対して着脱可能に取り付けるように構成されたカバー固定機構であって、
前記カバーの取付け穴の近傍には、前記ファスナの端部を前記固定穴に嵌め合わせ可能な状態で保持する一対の円弧状の突起体よりなる位置決め部材を設け、
前記ファスナの挿入端部の近傍には前記位置決め部材に嵌め合いストッパとして機能する円柱状体が直交するように一体化されていることを特徴とするカバー固定機構。
【請求項２】
前記突起体は前記カバーと一体形成されていることを特徴とする請求項１に記載のカバー固定機構。
【発明の詳細な説明】
【技術分野】
【０００１】
本発明は、カバー固定機構に関し、詳しくは、ケースなどの本体に着脱可能に取り付けられるカバーの固定構造に関するものである。
【０００２】
図６は従来の携帯型電子機器におけるバッテリ収納部のカバー固定機構の一例を示す構成図、図７は図６の部分断面拡大図である。これら図面において、携帯型電子機器の本体ケース１はほぼ直方体状に形成されていて、一方の面にはほぼ長方形の開口部を有するバッテリ収納部２が設けられ、図示しない他方の面には操作パネルや表示部が設けられている。このバッテリ収納部２の開口部を取付け対象として、この開口部を覆うようにほぼ長方形に形成されたカバー３が、着脱可能に取り付けられる。
【０００３】
カバー３の一端近傍には回転可能にファスナ４が遊嵌される取付け穴５が設けられ、他端の端面の側辺近傍には一対の係止片６，７が一体化されている。なお、カバー３のバッテリ収納部２との対向面には、収納領域８に収納されるバッテリ９を押さえるための突起体１０が設けられている。
【０００４】
バッテリ収納部２の一端近傍にはほぼＴ字状のストッパ１１が形成されているファスナ４の端部を挿入する固定穴１２が設けられ、バッテリ収納部２の他端内壁の側辺近傍にはカバー３に一体化された一対の係止片６，７が挿入される一対の係止穴１３，１４が設けられている。
【０００５】
また、バッテリ収納部２の開口部には、バッテリの収納領域８と固定穴１２を囲むようにしてリブ１５が連続するように一体化されている。なお、リブ１５の高さは、カバー３の板厚よりも低く形成されている。
【０００６】
このような構成において、バッテリの収納領域８にほぼ直方体状に形成されたバッテリ９を収納装着した後、バッテリ収納部２の開口部を覆うように着脱可能にカバー３を取り付ける。
【０００７】
カバー３の取付けにあたっては、カバー３の端面に一体化された一対の係止片６，７をバッテリ収納部２の内壁に設けられた一対の係止穴１３，１４に挿入した後、ファスナ４の端部に形成されているほぼＴ字状のストッパ１１を固定穴１２に挿入し、ファスナ４を所定の方向に回転させてカバー３を本体ケース１に固定する。固定穴１２の裏面にはＴ字状に形成されているファスナ４のストッパ１１を所定の方向に所定角度回転させて固定するように案内するガイド部材が設けられている。
【０００８】
これにより、バッテリ収納部２の開口部はカバー３で覆われることになり、収納領域８に収納されたバッテリ９はカバー３に設けられた突起体１０で所定の方向に押し付けられて、外部から加えられる振動衝撃などに対しても暴れないように安定に保持される。そして、リブ１５の端面がカバー３の対向面と密着することによって、バッテリの収納領域８や電子機器本体への水分の浸入を防止する防滴構造を実現している。
【０００９】
ところで、ファスナ４は、カバー３の一端近傍に任意の方向に回転自由な状態で遊嵌されていて、カバー３を本体ケース１から取り外した状態ではカバー３に対して任意の角度で回転した状態になっている。
【００１０】
特許文献１には、カバーをフレームに取り付けるためのファスナを、ばねを介して一定の状態でカバーに保持するように構成されたカバー取付け構造の構成について記載されている。
【先行技術文献】
【特許文献】
【００１１】
【特許文献１】特開平５−４４７０８号公報
【発明の概要】
【発明が解決しようとする課題】
【００１２】
すなわち、従来の構成によれば、ファスナ４の端部を固定穴１２に挿入して回転させることによりカバー３を本体ケース１に固定しているが、ファスナ４の端部を固定穴１２に挿入するのにあたっては、ファスナ４の端部に形成されているほぼＴ字状のストッパ１１が固定穴１２に嵌め合うようにファスナ４を回転させて位置決めしなければならず、作業性が低下するという問題がある。
【００１３】
本発明は、このような問題点を解決するものであり、その目的は、ファスナの端部を固定穴に挿入するのにあたり、位置決め作業を不要にできるカバー固定機構を実現することにある。
【課題を解決するための手段】
【００１４】
上記目的を達成するために、本発明のうち請求項１に記載の発明は、
カバーの取付け穴に遊嵌されたファスナの端部を取付け対象に設けられている固定穴に挿入し回転させて固定することにより、カバーを取付け対象に対して着脱可能に取り付けるように構成されたカバー固定機構であって、
前記カバーの取付け穴の近傍には、前記ファスナの端部を前記固定穴に嵌め合わせ可能な状態で保持する一対の円弧状の突起体よりなる位置決め部材を設け、
前記ファスナの挿入端部の近傍には前記位置決め部材に嵌め合いストッパとして機能する円柱状体が直交するように一体化されていることを特徴とする。
【００１５】
請求項２記載の発明は、請求項１に記載のカバー固定機構において、
前記突起体は前記カバーと一体形成されていることを特徴とする。
【発明の効果】
【００１８】
本発明によれば、ファスナの端部を固定穴に挿入するのにあたり、位置決め作業を不要にできる。
【図面の簡単な説明】
【００１９】
【図１】本発明の一実施例を示す構成図である。
【図２】図１の部分断面拡大図である。
【図３】本体ケース１から取り外した状態におけるカバー３の裏面拡大図である。
【図４】カバー３が固定された状態における本体ケース１の裏面拡大図である。
【図５】突起体およびガイド部材の拡大図である。
【図６】従来の携帯型電子機器におけるバッテリ収納部のカバー固定機構の一例を示す構成図である。
【図７】図６の部分断面拡大図である。
【発明を実施するための最良の形態】
【００２０】
以下、図面を参照して、本発明を詳細に説明する。図１は本発明の一実施例を示す構成図、図２は図１の部分断面拡大図であり、図６および図７と共通する部分には同一の符号を付けている。図１および図２と図６および図７は、カバー３に一体化された一対の係止片６，７の形状とこれら一対の係止片６，７が挿入される一対の係止穴１３，１４の形状が異なるとともに、カバー３のファスナ４が回転可能に遊嵌される取付け穴５の近傍にファスナ４をその端部が固定穴１２に嵌め合わせ可能な状態で保持する位置決め部材としての突起体１６の有無によっても異なっている。
【００２１】
すなわち、図１および図２において、一対の係止片６，７は、これら係止片６，７と対向するリブ１５をカバー３の主平面とともに上下方向から挟むようにカバー３の主平面に対してほぼＬ字形に形成されている。
【００２２】
そして、これら一対のほぼＬ字形の係止片６，７が挿入される一対の係止穴１３，１４は、リブ１５の直下に設けられている。
【００２３】
一方、カバー３のファスナ４が回転可能に遊嵌される取付け穴５の近傍には、ファスナ４をその端部が固定穴１２に嵌め合わせ可能な状態で保持する位置決め部材としての一対の円弧状の突起体１６，１７が取付け穴５に対して線対称になるように対向配置されている。
【００２４】
図３は本体ケース１から取り外した状態におけるカバー３の裏面拡大図、図４はカバー３が固定された状態における本体ケース１の裏面拡大図、図５は突起体およびガイド部材の拡大図である。
【００２５】
図３の破線は、ファスナ４のほぼＴ字状のストッパ１１のカバー３に対する初期位置を示している。ファスナ４のストッパ１１の初期位置の回転角度は、図５に示すようにストッパ１１が突起体１６および１７に設けられている円弧状の切り欠き部に嵌め合うことにより規制される。
【００２６】
図４の破線は、本体ケース１にカバー３を取り付けてファスナ４により固定したファスナ４の状態を示している。本体ケース１にカバー３を取り付けてファスナ４で固定するのにあたり、ファスナ４のほぼＴ字状のストッパ１１は、突起体１６および１７とほぼ同様な形状で本体ケース１に一体形成された一対のガイド部材１８および１９に沿って所定の方向に所定の角度回転するように案内される。そして、ファスナ４のストッパ１１の固定位置の回転角度は、図５に示すようにストッパ１１がガイド部材１８および１９に設けられている円弧状の切り欠き部に嵌め合うことにより規制される。
【００２７】
ファスナ４を回転させて本体ケース１からカバー３を取り外すことにより、ファスナ４のほぼＴ字状のストッパ１１のカバー３に対する初期位置が図５に示すように設定保持される。これにより、本体ケース１にカバー３を取り付けてファスナ４により固定するのにあたって、ファスナ４の端部を固定穴１２に挿入するために従来のようにファスナ４の端部に形成されているほぼＴ字状のストッパ１１が固定穴１２に嵌め合うようにファスナ４を回転させて位置決めする必要はなく、カバー３を本体ケース１に固定する作業の効率化が図れる。
【００２８】
そして、本体ケース１にカバー３を取り付けてファスナ４により固定した状態では、カバー３に一体化されている一対の係止片６，７は、図２に示すように、これら係止片６，７と対向するリブ１５をカバー３の主平面とともに上下方向から挟むことになるので、図７に示すような従来構造よりも優れた防滴性能を得ることができる。
【００２９】
なお、上記実施例では、携帯型電子機器におけるバッテリ収納部のカバー固定機構の例について説明したが、その他各種機器のカバー固定機構としても有用である。
【００３０】
以上説明したように、本発明によれば、ファスナの端部を本体ケースの固定穴に挿入するのにあたって、位置決め作業を不要にできる。
また、優れた防滴性能を得ることができる。
【符号の説明】
【００３１】
１  本体ケース
２  バッテリ収納部
３  カバー
４  ファスナ
５  取付け穴
６，７  係止片
８  バッテリ収納領域
９  バッテリ
１０  突起体
１１  Ｔ字状ストッパ
１２  固定穴
１３，１４  係止穴
１５  リブ
１６，１７  突起体（位置決め部材）
１８，１９  ガイド部材
【図１】
0005472710.tif 000002
【図２】
0005472710.tif 000003
【図３】
0005472710.tif 000004
【図４】
0005472710.tif 000005
【図５】
0005472710.tif 000006
【図６】
0005472710.tif 000007
【図７】
0005472710.tif 000008